(57)【要約】【課題】不慣れな者でもサンドイッチを変形させずに袋口を手早く封止でき、しかも、封止面を底にして陳列する場合でも包装済みサンドイッチを安定して自立させることができる包装袋を提供する。【解決手段】二枚の包装用フィルムを下底側が開口する略等脚台形状に製袋して三角サンドイッチの収容部を形成すると共に、この収容部の前記開口側に前記フィルムそれぞれを延成して第一の折り代を形成し、さらに、この第一の折り代から端縁が突出し、且つ、当該突出する端縁内面に糊部を設けた第二の折り代を形成してなり、前記収容部に三角サンドイッチを収容した状態で前記第一および第二の折り代を対向して略台形状に折り畳んだとき、前記第二の折り代は前記糊部の左右一部を露出させて前記第一の折り代に折り重なる。【選択図】図３
2010260611.tif 000002
【特許請求の範囲】
【請求項１】
二枚の包装用フィルムを下底側が開口する略等脚台形状に製袋して三角サンドイッチの収容部を形成すると共に、この収容部の前記開口側に前記フィルムそれぞれを延成して第一の折り代を形成し、さらに、この第一の折り代から端縁が突出し、且つ、当該突出する端縁内面に糊部を設けた第二の折り代を形成してなり、前記収容部に三角サンドイッチを収容した状態で前記第一および第二の折り代を対向して略台形状に折り畳んだとき、前記第二の折り代は前記糊部の左右一部を露出させて前記第一の折り代に折り重なることを特徴とした三角サンドイッチの包装袋。
【請求項２】
第一の折り代と第二の折り代には、収容する三角サンドイッチの中央線に沿って折り重ね位置を示す目印をそれぞれ設けた請求項１記載の三角サンドイッチの包装袋。
【請求項３】
収容部の開口周囲に、収容する三角サンドイッチの底辺位置を示す目印を設けた請求項１または２記載の三角サンドイッチの包装袋。
【請求項４】
糊部は再剥離可能な低粘着性の粘着剤である請求項１、２または３記載の三角サンドイッチの包装袋。
【請求項５】
糊部を剥離紙で被覆した請求項１から４のうち何れか一項記載の三角サンドイッチの包装袋。
【発明の詳細な説明】
【技術分野】
【０００１】
この発明は、三角サンドイッチの包装袋に係り、袋口を封止する折り代を最終段階で三角サンドイッチの側面に沿って左右外側に折り畳む構成に関するものである。
【背景技術】
【０００２】
側面視が直角三角形となるようにカットされた三角柱状のサンドイッチ（本願において「三角サンドイッチ」という）の従来一般的な包装態様を説明すると、先ず包装袋は二枚の包装用フィルムを短辺側の上底部とその両辺部をシールした略等脚台形状に製袋してなり、この包装袋の長辺側の下底部を袋口として三角サンドイッチをその先鋭部から投入した後、当該袋口周囲に生ずる余剰フィルム（折り代）を四方から内向きに折り畳み、その仕舞いとして前記折り代が折り重なる部分をその上からラベルやセロハンテープ等でテープ止めして前記袋口を封止していた（例えば、特許文献１）。
【０００３】
また、別の技術では、包装機による機械包装を前提として、前記折り代の表面に予め低融点の樹脂をコーティングまたはラミネートし、前記折り代の折り畳み工程で加熱押圧することによって折り重なるフィルム同士を接着する技術も存在した（特許文献２）。
【先行技術文献】
【特許文献】
【０００４】
【特許文献１】実開平６−３５１４４号公報
【特許文献２】特開平７−２０６０６４号公報
【発明の概要】
【発明が解決しようとする課題】
【０００５】
上述した特許文献１に代表される従来の一般的な包装態様によれば、折り代を四方から内向きに折り畳んで袋口を封止するため、この封止面だけフィルムが幾重にも折り重なり、特に重なり枚数が最大となる面中央が盛り上がった態様となる。そして通常、この封止面を底（設置面）にして包装済みサンドイッチを陳列するが、この場合、上述した封止面中央の盛り上がりによって包装済みサンドイッチを安定して陳列できないという課題がある。
【０００６】
また、サンドイッチの包装を手作業で行う場合（以下、「手包装」ともいう）、上述した一般的な包装態様によると、袋口を封止する過程でサンドイッチを変形させやすく、相当の熟練がないと、迅速に、均質な包装済みサンドイッチを得ることができない。即ち、この種包装袋に用いる包装フィルムは素材の性質上、折り目をつけにくく、先に折り畳んだ折り代の開き戻りを押さえつつ残りの折り代を順次折り畳んでいく過程や、最終のテープ止めのときに自ずと力が入り、サンドイッチを変形させやすい。
【０００７】
特に、折り代はできるだけサンドイッチの角に沿って直角に折り畳むことが好ましく、このように美麗に仕上がった包装済みサンドイッチは消費者に対する強い訴求力を有するのであるが、不慣れな者は折り目が定まらず、折り目にサンドイッチの角を巻き込んで潰してしまったり、逆に浅い位置で折り代を折り畳んでぶかぶかな包装となることが多い。さらに、こうした封止作業に慎重になる余り、包装に時間がかかることも発明者の経験から明らかである。
【０００８】
一方、特許文献２に開示の技術は機械包装であるため、均質な包装済みサンドイッチを大量生産することができるが、その包装態様は、やはり折り代を袋口の四方から内向きに折り込む四方折りであるため、上述した一般的な包装態様と同様、その包装済みサンドイッチは自立性に欠けるという課題が残されている。この他、特許文献２の包装技術は、包装機等の大掛かりな設備投資を必要とするため、一日数十個程度のサンドイッチを店頭で製造・販売するベーカリー店や個人商店での導入は困難である。
【０００９】
本発明は上述した課題を解決するためになされたものであり、その目的とするところは、不慣れな者でもサンドイッチを変形させずに袋口を手早く封止でき、しかも、封止面を底にして陳列する場合でも包装済みサンドイッチを安定して自立させることができる包装袋を提供することである。
【課題を解決するための手段】
【００１０】
上述した目的を達成するために本発明では、二枚の包装用フィルムを下底側が開口する略等脚台形状に製袋して三角サンドイッチの収容部を形成すると共に、この収容部の前記開口側に前記フィルムそれぞれを延成して第一の折り代を形成し、さらに、この第一の折り代から端縁が突出し、且つ、当該突出する端縁内面に糊部を設けた第二の折り代を形成してなり、前記収容部に三角サンドイッチを収容した状態で前記第一および第二の折り代を対向して略台形状に折り畳んだとき、前記第二の折り代は前記糊部の左右一部を露出させて前記第一の折り代に折り重ねるという手段を用いた。三角サンドイッチは収容部に投入され、第一・第二の折り代をこの順に対向して折り畳むことによって収容部の開口は閉塞される。この閉塞時に第二の折り代は、その端縁内面に設けた糊部によって第一の折り代（の外面）に接着されるが、第一の折り代からはみ出る端縁左右の糊部は露出することになる。そして、この露出した糊部を利用して第二の折り代の端縁左右を三角サンドイッチの側面に直接または側面を巻き込んで斜面に接着することができる。即ち、本発明によれば、第一・第二の折り代とも最初の折込段階では互いに向き合うように内向きに折られるが、このときそれぞれの折り代の左右に形成される耳は、従来、さらに内向きに折り畳んでいたところを、本発明では外側に折り返した包装態様とすることができる。
【００１１】
また、第一の折り代と第二の折り代には、収容する三角サンドイッチの中央線に沿って折り重ね位置を示す目印をそれぞれ設けることによって、第二の折り代を正確に第一の折り代に折り重ねることができる。
【００１２】
さらに、収容部の開口周囲に、収容する三角サンドイッチの底辺位置を示す目印を設けることによって、三角サンドイッチの適正な収容深さを認識できるうえ、当該目印は第一・第二の折り代の折り目位置を示す機能も発揮する。
【００１３】
また、糊部が再剥離可能な低粘着性の粘着剤である場合は、これを剥がして一旦開封した後でも再封することが可能となる。さらに、糊部を剥離紙で被覆することによって、包装前に糊部が不用意に乾燥することを防止すると共に、本包装袋を幾重にも重ねた状態で保管・流通させることができる。
【発明の効果】
【００１４】
本発明によれば、第一の折り代に第二の折り代を折り重ねる際、糊部が両者を接着して簡単に袋口の閉塞状態を確保でき、その後、この状態で左右に形成される耳を外側に折り返した状態で接着できるため、封止時に袋口のフィルムの重なり枚数が少なくなり、これを底として包装済みサンドイッチを陳列する場合に高い自立性を得ることができる。また、第一・第二の折り代を左右に引っ張りながら外側に折り返すだけで、不慣れな者であっても、手早く、且つ、フィルムのテンションによって折り代が三角サンドイッチに密着する美麗な包装が完成する。このとき糊部によって折り代の開き戻りが抑制されるため、折り代の折返しに余計な力が入らず、従って、三角サンドイッチを変形させずに包装することができる。
【００１５】
また、第二の折り代を先に折り畳んだ第一の折り代に折り重ねる場合、両者の目印を合致させれば、自ずと適正な折り畳み状態が実現され、さらに、収容部の開口周囲に設けた三角サンドイッチの底辺位置を示す目印は、これを三角サンドイッチの投入位置と第一・第二の折り代を外側に折り返す折り目の目安とすることで、不慣れな者でも手早く第一・第二の折り代を外側に折り返して、三角サンドイッチを美麗に包装することができる。
【００１６】
さらにまた、糊部が再剥離可能な低粘着性の粘着剤である場合は、第二の折り代を開封ツマミとして再封可能な包装袋とすることができる。また、糊部を剥離紙で被覆したものにあっては、糊部を保護しながら、包装前に不用意な接着が防止され、取扱いに優れた包装袋とすることができる。
【図面の簡単な説明】
【００１７】
【図１】本発明の一実施形態に係る包装袋の平面図
【図２】この包装袋による包装済みサンドイッチの斜視図
【図３】この包装袋による三角サンドイッチの包装手順を示した工程図
【図４】第二の折り代を第一の折り代に折り重ねた状態を示す三角サンドイッチの底面図
【図５】包装作業に用いる作業台を示した斜視図
【発明を実施するための形態】
【００１８】
以下、本発明の好ましい実施の形態を添付した図面に従って説明する。図１は、本発明の一実施形態に係る包装袋の平面図を示したものであって、表裏二枚の包装用フィルム１・２を短辺側の上底３および両辺４・５の三辺をシールする一方、長辺側の下底６のみが開口した略等脚台形状に製袋して三角サンドイッチの収容部７を形成すると共に、当該収容部７の前記開口側にフィルム１・２それぞれを延成して、台形状の第一の折り代８および、この第一の折り代８から端縁９ａが突出する第二の折り代９を形成したものである。この第二の折り代９の第一の折り代８から突出する部分の内面には端縁９ａに沿って糊部１０を設けており、さらに、この糊部１０は剥離紙１１で被覆している。なお、本実施形態では、三角サンドイッチの斜面側に位置するフィルム１を延成して第一の折り代８を、また三角サンドイッチの垂直面側に位置するフィルム２を延成して第二の折り代９を形成している。これは第二の折り代９を第一の折り代８から極端に突出させずとも、第一の折り代８に折り重ねるための十分な折り幅を確保するためである。
【００１９】
図２は、上記包装袋により三角サンドイッチＳを包装した包装済みサンドイッチの完成斜視図であり、後述する手順に従って第一・第二の折り代８・９をこの順に折り込んでいくことにより、最終的には第一・第二の折り代８・９の左右両端を三角サンドイッチＳの側面Ｓ１を巻き込んで斜面Ｓ２に接着したものである。
【００２０】
即ち、上記包装袋による三角サンドイッチＳの包装手順を図３に従って説明すると、先ず、第一工程（図３（ａ））では収容部７に三角サンドイッチＳを底面Ｓ３が袋口側となるように収容した状態で、第一の折り代８を前記底面Ｓ３に向かって内向きに折り畳むもので、このとき第一の折り代８は三角サンドイッチＳの底面Ｓ３の左右に略三角形状の耳８ａ・８ｂを張り出した略台形状に折り畳まれて、袋口を途中まで閉塞する。
【００２１】
なお、本実施形態では収容部７の袋口周囲に予め三角サンドイッチＳの底辺位置を示す目印１２を形成しているため、三角サンドイッチＳの収容を簡単に行える。また、この目印１２は第一・第二の折り代８・９を内向きに折り畳み、その後、外側に折り返す際の折り目の目安ともなる。この目印１２は、本実施形態のように三角サンドイッチＳの底面四隅に対応する四つの点で構成することが最も簡易であるが、左右の上下２点を結ぶ２本の平行線、若しくは、四つの点を結んで三角サンドイッチの底面Ｓの形状を示す矩形の外形線であってもよい。
【００２２】
次に第二工程（図３（ｂ））では、第二の折り代９から剥離紙１１を剥がして糊部１０を露出させたうえ、この第二の折り代９を反対側から内向きに折り畳んで第一の折り代８に折り重ねる。このときもまた、三角サンドイッチＳの底面Ｓ３の左右両側に略三角形状の耳９ａ・９ｂを張り出した略逆台形状に第二の折り代９を折り畳むことで、図４に示すように、第二の折り代９の端縁左右が第一の折り代８からはみ出た状態となる。従って、糊部１０は第一の折り代８に接着する重畳部分１０ａ（図４上のハッチ部分参照）と、その左右に第一の折り代８からはみ出る露出部分１０ｂ・１０ｃ（図４上の格子部分参照）とを形成する。ただし、第二の折り代９を中心がずれた状態で第一の折り代８に折り重ねると、露出部分１０ｂ・１０ｃに偏りが生じたり、糊部１０が全く露出しないこともあるため、本実施形態では、第一・第二の折り代８・９それぞれに三角サンドイッチＳの中央線に沿って折り重ね位置を示す目印１２・１３を設けている。従って、第二の折り代９を第一の折り代８に折り重ねる際、両者の目印１２・１３が合致すれば、自ずと適正な露出部分１０ｂ・１０ｃが形成されることになる。なお、この第二工程では第一および第二の折り代８・９の両耳８ａ・８ｂおよび９ａ・９ｂを両手で摘み、左右外側に引っ張ることで第一・第二の折り代８・９の開き戻りを抑制しつつ、両折り代８・９を三角サンドイッチＳの底面に密着させた状態で接着することができる。
【００２３】
続いて、第三工程（図３（ｃ））では第二の折り代９の両耳９ａ・９ｂそれぞれを三角サンドイッチＳの両側面Ｓ１に沿って立ち上げるように折り返し、さらに最終工程（図３（ｄ））では両耳９ａ・９ｂの端縁を糊部１０の露出部分１０ｂ・１０ｃを利用して三角サンドイッチＳの斜面Ｓ２に巻き込んだ状態で接着することによって、図２に示す包装済みサンドイッチが完成する。なお、この第三・最終工程では三角サンドイッチＳを起こして底面Ｓ３を設置させて作業を行っているが、第一・第二工程の垂直面を設置させた状態のまま作業を継続することも可能である。また、第二の折り代９の両耳９ａ・９ｂは、その折り幅が本実施形態よりも小さい場合、三角サンドイッチＳの側面Ｓ１に接着することも可能である。
【００２４】
上述した本実施形態の包装袋によれば、第一・第二の折り代８・９の両耳は最終的に外側に折り返した状態で接着されるため、袋口（三角サンドイッチＳの底面）におけるフィルムの重なり枚数が従来よりも少なくなり、これを底として陳列する場合に、自立性が高い包装済みサンドイッチを得ることができる。また、第一・第二の折り代８・９の両耳を外側に折り返す作業は、当該両耳を外側に引っ張りながら行えるため、従来のように内向きに折り重ねるよりも、手早く、且つ、美麗に行うことができる。さらに、糊部１０が再剥離可能な低粘着性の粘着剤である場合は、図３とは逆の手順で袋口を開封した後、図３の手順に沿って再封が可能となる。
【００２５】
なお、上述した一連の包装作業は、図５に示したように、表面にシリコンシートなどの滑り止め材Ｐ１を設けた作業台Ｐを用いて行うことが好ましく、この作業台Ｐは回転台であることがより好ましいものである。
【符号の説明】
【００２６】
１・２  包装用フィルム
７  収容部
８  第一の折り代
９  第二の折り代
１０  糊部
Ｓ  三角サンドイッチ
【図１】
2010260611.tif 000003
【図２】
2010260611.tif 000004
【図３】
2010260611.tif 000005
【図４】
2010260611.tif 000006
【図５】
2010260611.tif 000007